(57)【要約】      （修正有）【課題】ピッキングの被害を無くすための鍵の安全性を高める。【解決手段】ＲＦＩＤタグを差し込む側のキーに装着しておき、ＲＦＩＤタグには、このキーの持ち主である事を示す独特の情報を持っておく。ドアに付いている側の鍵には、ＲＦＩＤタグを認識する装置のＲＦＩＤリーダ／ライタを付け、このタグ情報が本来のキーの持ち主の情報と認識できた場合のみ、シリンダー内が回転できるように、シリンダー内の動きを止めるための抵抗を付けておく。鍵にＲＦＩＤタグを組み合わせる事により、電波による個人認証とキーによる機械的な認証の２重のチェックをかけ、安全性を高める。【選択図】図４
0003119830.tif 000002
【実用新案登録請求の範囲】
【請求項１】
鍵にＲＦＩＤタグを組み合わせることで２重ロックにし、安全性を高める。
【考案の詳細な説明】
【技術分野】
【０００１】  本考案は、ＲＦＩＤタグによる認証情報を利用し、鍵の安全性を高めるための考案である。
【背景技術】
【０００２】  現在、超小型のＲＦＩＤタグが開発されました。これには、電源を必要としないパッシブタイプが有ります。ＲＦＩＤタグには独自の情報を持つことができますので、キーの本来の持ち主である事を示す固有の情報を持つ事ができます。ＲＦＩＤタグは１ミリ程度の小型な物もありますので邪魔にならずにキー等に装着しておくことができます。ＲＦＩＤタグを認識する装置のＲＦＩＤリーダ／ライタも小型化されていますので、鉄製ドアの鉄板の間におさめることができます。本考案では、独自の情報を持てるＲＦＩＤタグを鍵に組み合わせることにより、電子的なチェックと物理的なチェックの２重チェックを行ない、鍵をより安全なものとしています。
【考案の開示】
【考案が解決しようとする課題】
【０００３】  本考案は、ピッキングによる窃盗被害を無くす為の考案です。現在、社会問題にもなっていますピッキング被害から大切な財産を守るため、一つのドアに２つ鍵を付けたりする対策をよく行なっています。
しかしそれだけでは、時間をかければ、鍵を開けられてしまい、根本的な解決になりません。本考案では、鍵という機械的な歯止めと、ＲＦＩＤタグという電波による個人認証によるキーを組み合わせる事により、通常のピッキング技術だけでは開錠されなくなり、さらに安全性を高める事を目的としています。
従来より、ＩＣカードだけで鍵を開けることの出来るものは存在していましたが、本考案では、鍵とＲＦＩＤタグを組み合わせることにより、全く違う手法の条件を同時にクリアしなければ鍵が開きません。これにより鍵の安全性を画期的に向上させることができます。
【課題を解決するための手段】
【０００４】  方法ですが、ＲＦＩＤタグを差し込む側のキーに装着しておきます。ＲＦＩＤタグには、このキーの持ち主である事を示す独特の情報を持っておきます。
そしてドアに付いている側の鍵には、ＲＦＩＤタグを認識する装置のＲＦＩＤリーダ／ライタを付け、そして、このタグ情報が本来のキーの持ち主の情報と認識できた場合のみ、シリンダー内が回転できるように、シリンダー内の動きを止めるための抵抗を付けておきます。
これにより、キーの本当の持ち主で無い限り、鍵を回す事が出来ず、鍵を開ける事が出来なくなります。鍵を開けるためにはＲＦＩＤタグの認証と、シリンダーによる通常のキー認証の、２重のチェックを同時にクリアすることが必要条件になり、安全性を高める事ができます。
キー自体にＲＦＩＤタグを付けておきますと、一度の鍵を開ける動作の中で２重のチェックが行なえるため、開ける人の手間をかけずに安全性を高めることができます。
又、ＲＦＩＤタグは、超小型のタグですので、キーとの一体化を容易にできます。そのためキーの所有者に持ち運びにおける余計な負担をかけません。
鍵自体が開かないようにする方法には、▲１▼シリンダーの動きを止める方法の他に、▲２▼シリンダーの動きをデッドボルトに伝えるギアを制御装置で移動させ、シリンダーを回してもデッドボルトに力が伝わらないようにして、鍵が開かないようにようにする方法や、▲３▼鍵穴自体をふさいでおき、持ち主のＲＦＩＤタグが近づいた場合のみ鍵穴を開くように制御する方法もとれます。
さらに、ＲＦＩＤタグは、超小型ですから、一本のキーにそれぞれ別の情報の入ったＲＦＩＤタグを３つ装着しておき、それぞれのＲＦＩＤタグが上記の▲１▼▲２▼▲３▼に別々に反応するような設定も可能になります。
【考案の効果】
【０００５】  これらの方法によりＲＦＩＤタグによる本人の確認が出来ない場合は、鍵を機械的に操作することができなくなりますので、ピッキングが出来ないように出来ます。又、勝手に作られたＲＦＩＤタグが付いていない合鍵や、よく似たタイプのキーにより鍵を開けられる心配もなくなります。
【考案を実施するための最良の形態】
【０００６】  家族で、複数のキーを使用するケースも多いかと思いますが、各々のキーすべてにＲＦＩＤタグを装着しておく必要があります。ＲＦＩＤタグは、鍵の製造元でキーに装着させて出荷し、予備のＲＦＩＤタグも、カードタイプに埋め込む形式で製造元が用意しておくのが一番安心ですが、自分でスペアキーを作りたい場合には、同じ情報を埋め込んだＲＦＩＤタグだけを別途複数個、渡しておくのも良いでしょう。
ＲＦＩＤタグは、精密なため、鍵を持ち歩く間に衝撃等でＲＦＩＤタグ自体が壊れる可能性も有ります。その場合は、鍵だけだと開ける事が出来なくなります。そこで、予備のＲＦＩＤタグを埋め込んだカードを携帯し、壊れたときにはそちらのタグで認識をさせるようにします。
新たにカードを持ち歩きたくない場合には、予備のＲＦＩＤタグだけを財布や免許証などに貼り付けておき、それで認識させる方法もとれます。その場合、ＲＦＩＤタグ自体は、小さいので常時貼り付けておいても気になりません。
又、１本のキーに同じ情報を持ったＲＦＩＤタグを複数個付けておくと、そのうちの一つが壊れても、他のＲＦＩＤタグの情報により認識する事も出来ますので故障によるトラブルを少なくする事が可能です。
【実施例】
【０００７】  各家庭の玄関ドアの鍵にこの仕組みを取り入れる事により、ピッキングによる窃盗の被害を少なくする事が出来ます。【０００８】  車やオートバイの鍵に設置する事により、盗難車の被害を少なくする事が出来ます。
【産業上の利用可能性】
【０００９】  車におけるキーは、ドアを開けるだけでなく、エンジンを始動させる事にも使います。そこで、エンジンの始動時に差し込む側の鍵には、本人のＩＣタグと認識できなければ、始動も、電気的な動きも一切出来ないような設定を車の側でしておくと、ガラスを割ってドアを開けても車を走らせることが出来ず、結果として盗難件数を減らす事につながるようになるでしょう。
【図面の簡単な説明】
【００１０】
【図１】鍵のシリンダーに、シリンダーの回転を止めるための抵抗をつけた図である。
【図２】抵抗がかかった状態の正面図。
【図３】キーにＲＦＩＤタグを装着した平面図である。
【図４】鍵のシリンダーに、回転を止めるための抵抗、ＲＦＩＤリーダ／ライタ、制御装置、抵抗を動かすための電磁石、電池の図である。これらは、ドアの鉄板の中に収納されるものの透視図である。
【図５】シリンダーの動きをデットボルトに伝えるようになっている時の透視図
【図６】シリンダーの動きをデットボルトに伝えるギアをずらし、鍵が開かないようにした透視図
【図７】鍵穴自体をふさぎ、キーを入れられないようにしている時の透視図
【図８】鍵穴にキーが入るように、鍵穴を出している透視図
【符号の説明】
【００１１】  １  シリンダー
２  シリンダーの回転を止めるための抵抗
３  シリンダーにつけた突起
４  キーに装着したＲＦＩＤタグ
５  電磁石
６  磁石
７  制御装置
８  ＲＦＩＤリーダ／ライタ
９  電池
１０  デットボルト
１１  シリンダーの動きをデッドボルトに伝えるギア
１２  シリンダーにつけたギア
１３  鍵の挿入部をふさぐための金具
１４  鍵の挿入口
【図１】
0003119830.tif 000003
【図２】
0003119830.tif 000004
【図３】
0003119830.tif 000005
【図４】
0003119830.tif 000006
【図５】
0003119830.tif 000007
【図６】
0003119830.tif 000008
【図７】
0003119830.tif 000009
【図８】
0003119830.tif 000010
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
ＲＦＩＤタグなどを収納できるようにポケットを付けたキー
【手続補正２】
【補正対象書類名】明細書
【補正対象項目名】全文
【補正方法】変更
【補正の内容】
【考案の詳細な説明】
【技術分野】
【０００１】本考案は、鍵にＲＦＩＤタグなどが収納できるようにするためにキーにポケットをつける考案である。
【背景技術】
【０００２】現在、電源を必要としない超小型のＲＦＩＤタグが開発されました。１ｍｍ四方程度の大きさで、省スペースに簡単に収められるようになっています。ＲＦＩＤタグには個別情報を持つことができますので個人を特定する電子承認として活用することができます。ＩＣチップなどを含むこれらの活用により、現在イモビライザ等、電子的な防犯対策が行える機器が出てきております。
【考案の開示】
【考案が解決しようとしている課題】
【０００３】現在、イモビライザなどの電子キーにおいては、電子認証のＩＣをカード式にしたり、小型のケースに入れたりしてキーとは別に持ち運ぶようになっています。しかしこれでは、キーケースに入れて持ち運ぶことができず、不便を感じます。
【課題を解決するための手段】
【０００４】本考案では、これらを解決するために、キー自体に小さなポケットを付け、ＲＦＩＤタグを装着できるようにし、ＲＦＩＤタグを装着したままでもキーをキーケースに入れることができるようにしたものである。
ポケットは、キーの上部の広い部分に穴を開け、ＲＦＩＤタグが入るだけのスペースを設けます。これに金属やプラスチックなどで蓋をつけＲＦＩＤタグなどが落ちないようにします。
【考案の効果】
【０００５】これによりキー自体の大きさを変えずにＲＦＩＤタグの電子認証機能を使えるようになり、従来のキー同様にキーケースに入れることができるようになり持ち運びや管理が楽になります。
【図面の簡単な説明】
【０００６】
【図１】キーの平らな面に穴を開け、ポケットを設けている図である。蓋を開けている状態の図。
【図２】ポケットを閉め、キーが持ち運びしやすくなっている状態の図である。
【図３】図４の点線部を横から見た断面図である。
【図４】図２におけるキーにポケットを設けた部分を拡大した図である。
【手続補正３】
【補正対象書類名】図面
【補正対象項目名】全図
【補正方法】変更
【補正の内容】
【図１】
0003119830.tif 000011
【図２】
0003119830.tif 000012
【図３】
0003119830.tif 000013
【図４】
0003119830.tif 000014